(57)【特許請求の範囲】
【請求項１】
挿入されたディスクの下面に接触して回転し前記挿入されたディスクを装置内に引込む回転ローラと、
前記回転ローラよりもディスクの挿入方向手前側に設けられ挿入されたディスクの下面に接触する揺動可能に支持された第１ディスクガイドと、
前記回転ローラおよび前記第１ディスクガイドに押し付ける方向に付勢され挿入されたディスクの上面に接触する揺動可能に保持された第２ディスクガイドと、
前記回転ローラよりもディスクの挿入方向奥側かつ上面側にディスクの挿入方向手前側よりもディスクの挿入方向奥側が下方に突出した段差と、前記段差よりもディスクの挿入方向奥側に前記回転ローラと前記第１ディスクガイドと前記第２ディスクガイドとがディスクを挟持する高さ方向の位置まで突出した軸とが設けられ前記挿入されたディスクの奥行き方向の移動を規制する第３ディスクガイドとを有し、
前記第３ディスクガイドの段差は挿入された小径ディスクの挿入方向手前側端部が前記第１ディスクガイドから外れた位置において前記小径ディスクの挿入方向奥側端部よりも挿入方向奥側に設けられ、小径ディスクが挿入された場合は挿入されたディスクが前記第１ディスクガイドから外れた後、前記回転ローラを中心とするモーメントにより前記第２ディスクガイドが揺動し前記小径ディスクが前記段差に当接して芯出し位置が決まり、大径ディスクが挿入された場合は挿入されたディスクが前記段差の下を通過して前記大径ディスクが前記軸に当接して芯出し位置が決まることを特徴とするディスク位置決め装置。
【発明の詳細な説明】
【０００１】
【発明の利用分野】
本発明は、車載用ＣＤプレーヤ等に使用するディスク位置決め装置に関する。
【０００２】
【従来の技術】
図４は従来のこの種のディスク位置決め装置の構成を示し、（ａ）が概略正面図、（ｂ）が概略側面図である。図４において、１は大径、小径の２種類のディスク１１をガイドするディスクガイドであり、メインシャーシ２に固定されている。３は回転ローラであり、フィーダアーム４に回転可能に保持されている。フィーダアーム４は、フロントシャーシ１２に設けられた回転支点１２ａ、１２ｂにより回転可能に保持されている。フロントシャーシ１２とフィーダアーム４との間には、フィーダアームばね６ａ、６ｂが掛けられており、回転ローラ３はディスク１１を押圧する方向に付勢されている。７は左側芯出しレバー、８は右側芯出しレバーであり、ディスク１１の芯出し位置を決める。左側芯出しレバー７および右側芯出しレバー８は、クランプアーム１７に支軸７ａ、８ａを中心に回転可能に保持され、それぞれの一部周面に形成されたセクタギヤが噛み合って同期して回転する。各芯出しレバー７、８の先端部には、それぞれディスク検出用の軸７ｂ、８ｂが植設され、軸８ｂには芯出しストッパ９が回転可能に係合している。芯出しストッパ９の先端部には、大径ディスク検出用の軸９ａが植設されている。１０は芯出しカム板であり、クランプアーム１７に支軸１７ａを中心として回転可能に保持されている。芯出しカム板１０には、大径ディスクに対応したカム穴１０ｃと、小径ディスクに対応したカム穴１０Ｂとが連続して形成されており、それぞれのカム穴１０ｃ、１０ｂに右側芯出しレバー８の軸８ｂと芯出しストッパ９の軸９ａが挿入されている。芯出しカム板１０には、ロードクランプ切換メカ部１６に動作を伝えるための長穴１０ａが形成され、そこにロードクランプ切換メカ部１６の軸１６ａが通っている。
【０００３】
次に上記従来例の動作について説明する。図２において、ディスク１１をディスクガイド１と回転ローラ３との間に挿入すると、回転ローラ３の駆動力によりディスク１１はディスクガイド１に沿って装置内に引き込まれ、左右の芯出しレバー７、８の軸７ｂ、８ｂに当たる。このとき、大径のディスク１１では、芯出しストッパ９の軸９ａにも同時にあたり、芯出しストッパ９が軸８ｂの回りに回転し、それに伴い芯出しカム板１０が支軸１７ａの回りを回転し、カム穴位置が変化する。一方、小径のディスク１１の場合は、左右の芯出しレバー７、８の軸７ａ、８ａのみに当たり、芯出しストッパ９の軸９ａには当たらないので、芯出しストッパ９の位置も変化せず、芯出しカム板１０のカム穴位置も変化しない。芯出しカム板１０は、ディスク１１の径の差により異なるカム穴１０ｂ、１０ｃを有し、芯出しストッパ９の位置の差により使用されるカム穴が選択される。ディスク１１がさらに引き込まれると、左右の芯出しレバー７、８が支軸７ａ、８ａを中心に回転し、芯出しレバー８の軸８ｂが芯出しカム板１０のカム穴に沿って移動する。ディスク１１が芯出し位置に来ると、芯出しカム板１０のカム穴形状により、芯出しカム板１０が回転し、長穴１０ａおよび軸１６ａを介して、ディスク１１が芯出し位置に来たことをロードクランプ切換メカ部１６に伝えるとともに、芯出しレバー８の軸８ｂが芯出しカム板１０のカム穴により固定され、同時に芯出しレバー７の位置も定まるため、ディスク位置も決まる。
【０００４】
このように、上記従来のディスク位置決め装置では、径の異なるディスク１１をクランプ可能な位置に位置決めするとともに、ロードクランプ切換メカ部１６にディスク１１が位置決めされたことを伝えることができる。
【０００５】
【発明が解決しようとする課題】
しかしながら、上記従来のディスク位置決め装置では、ディスクの位置決めを、互いにギヤで結合された一対の芯出しレバーと、一方の芯出しレバーに結合されたカム板を使用して行うため、位置精度が悪いとともに、機構が複雑となるという問題があった。
【０００６】
本発明は、このような従来の問題を解決するものであり、簡単な機構で位置決め精度の良い優れたディスク位置決め装置を提供することを目的とする。
【０００７】
【課題を解決するための手段】
本発明は、上記目的を達成するために、ディスクを第１ディスクガイドと第２ディスクガイドとの間に挿入し、それを第２ディスクガイドと回転ローラとで受けて装置内に引き込み、引き込み途中でディスクの直径の相違を利用して第１および第２ディスクガイドを揺動させ、その角度変化を利用して大径のディスクと小径のディスクの芯出し位置を決める第３ディスクガイドを備えたものであり、小径のディスクと大径のディスクの位置決めを第１および第２ディスクガイドの角度変化を利用して行うので、機構が簡単で可動部が少ない精度の高いディスク位置決め装置を実現することができる。
【０００８】
【発明の実施の形態】
本発明の請求項１に記載の発明は、挿入されたディスクの下面に接触して回転し前記挿入されたディスクを装置内に引込む回転ローラと、前記回転ローラよりもディスクの挿入方向手前側に設けられ挿入されたディスクの下面に接触する第１ディスクガイドと、前記回転ローラおよび前記第１ディスクガイドに押し付ける方向に付勢され挿入されたディスクの上面に接触する第２のディスクガイドと、前記回転ローラよりもディスクの挿入方向奥側かつ上面側に設けられ前記挿入されたディスクの奥行き方向の移動を規制する第３のディスクガイドとを有し、前記第３ディスクガイドは、挿入された小径ディスクの挿入方向手前側端部が前記第１ディスクガイドから外れた位置における前記小径ディスクの挿入方向奥側端部よりも挿入方向奥側に設けられた段差を有し、かつ当該段差は挿入方向手前側よりも挿入方向奥側が下方に突出したことを特徴とするディスク位置決め装置であり、小径のディスクと大径のディスクの位置決めを第１および第２ディスクガイドの角度変化を利用して行うので、機構が簡単で可動部が少ない精度の高いディスク位置決め装置を実現することができる。
【００１０】
（実施の形態）
以下、本発明の実施の形態を図面を参照して説明する。図１（ａ）は本発明の実施の形態におけるディスク位置決め装置の概略正面図、図１（ｂ）は同装置を前方から見た側面図、図２（ａ）は同装置の小径ディスク芯出し状態を左側方から見た側面図、図２（ｂ）は同装置の大径ディスク芯出し状態を左側方から見た側面図、図２（ｃ）は同装置を右側方から見た側面図である。これらの図において、２１はディスク３０、３２に駆動力を与える回転ローラであり、中心を通る回転ローラ軸２４を介して、クランプシャーシ２２に回転可能に保持されている。回転ローラ軸２４は、ローラ駆動部３９にギヤ列を介して連結されている。２３は前面にディスクの挿入を容易にするためのテーパ部２３ｃ、２３ｄを有する第１ディスクガイドであり、回転ローラ軸２４に係止爪２３ｂにより係止され、またサスペンションシャーシ２５に係止爪２３ａにより揺動可能に支持されている。２６は第２ディスクガイドであり、第１ディスクガイド２３に対向して、同様に前面にディスクの挿入を容易にするためのテーパ部を有し、クランプシャーシ２２の両側に設けられたガイド穴２２ａ、２２ｄにガイド軸２６ａ、２６ｂが案内されて揺動可能に保持されている。２７はクランプシャーシ２２と第２ディスクガイド２６の間に設けられた板状のディスクガイドばねであり、第２ディスクガイド２６を回転ローラ２１および第１ディスクガイド２３に押し付ける方向に付勢している。このディスクガイドばね２７は、回転ローラ２１と第１ディスクガイド２３の前面テーパ部２３ｃ、２３ｄの間に位置するように配置される。２８は小径ディスク３０の芯出し位置を決めるための段差２８ａおよび大径ディスク３２の芯出し位置を決めるための軸２８ｄ、２８ｅを有する第３ディスクガイドであり、クランプシャーシ２２に設けられたガイド穴２２ｂ、２２ｃ、２２ｅ、２２ｆに第３ディスクガイド２８のガイド軸２８ｂ、２８ｃ、２８ｇ、２８ｆが案内されて上下方向にのみ移動可能に保持されている。この第３ディスクガイド２８は、クランプシャーシ２２との間に設けられた板状のディスクガイドばね３１により、クランプシャーシ２２から離れる方向に付勢されている。２９は小径ディスク３０および大径ディスク３２が芯出し位置に来たことを検出し、ロードクランプ切換メカ部３８を動作させるための切換レバーであり、第３ディスクガイド２８に設けられた回転支点２９ｃを中心に回転可能に保持されている。切換レバー２９は、小径ディスク３０が芯出し位置に来たことを検出するための突起部２９ａと、大径ディスク３２が芯出し位置に来たことを検出するための軸２９ｂと、ロードクランプ切換メカ部３８に動作を伝えるための軸２９ｄを有する。
【００１１】
図３は上記実施の形態におけるディスク位置決め装置の構成を簡略化したものであり、図３（ａ）は大径ディスク３２が芯出し位置に位置する状態を示し、図３（ｂ）は小径ディスク３０が芯出し位置に位置する状態を示す。図３（ｂ）の矢印２７ａは、小径ディスク３０の引き込み時に、小径ディスク３０が第１ディスクガイド２３の前面テーパ部２３ｄ、２３ｄから外れた時にディスクガイドばね２７により発生する回転ローラ２１を中心とするモーメントを示している。
【００１２】
次に上記実施の形態における位置決め動作について、まず小径ディスク３０についての動作を説明する。小径ディスク３０が、メインシャーシ３３の開口部から第１ガイドディスクガイド２３と第２ディスクガイド２６との間に挿入されると、その先端部が回転ローラ２１と第２ディスクガイド２６との間に挟まれ、回転ローラ２１の回転力により装置内に引き込まれる。挿入当初は、小径ディスク３０は、第１ディスクガイド２３と第２ディスクガイド２６に案内されて引き込まれるが、ある程度引き込まれると、図３（ｂ）に示すように、第１ディスクガイド２３の前面テーパ部２３ｃ、２３ｄから外れ、ディスクガイドばね２７により発生する回転ローラ２１を中心とする反時計回り方向のモーメント２７ａにより、第３ディスクガイド２８に押し付けられながら第３ディスクガイド２８に沿って引き込まれる。その後、小径ディスク３０は、第３ディスクガイド２８の小径ディスク３０用の位置決め用段差２８ａに当たり、芯出し位置が決まる。同時に、図１（ａ）に示すように、切換レバー２９の突起部２９ａを押し、切換レバー２９が回転支点２９ｃを中心に時計回り方向に回転し、切換レバー２９の軸２９ｄによりロードクランプ切換メカ部３８を動作させ、ロードクランプ切換メカ部３８により小径ディスク３０の引き込み動作がディスククランプ動作に移行する。すなわち、小径ディスク３０がスピンドルモータ３４のターンテーブル３５に乗せられ、クランパー３６およびクランパー押さえばね３７によりクランプされ、プレイ可能状態となる。
【００１３】
次に大径ディスク３２の位置決め動作について説明する。大径ディスク３２が第１ディスクガイド２３と第２ディスクガイド２６との間に挿入され、回転ローラ２１により装置内に引き込まれることは、小径ディスク３０の場合と同じである。異なるのは、大径ディスク３２は大径であるため、装置内に引き込まれても図３（ａ）に示すように第１ディスクガイド２３のテーパ部２３ｃ、２３ｄから外れないことである。このため、大径ディスク３２は、回転ローラ２１と第１ディスクガイド２３の前面テーパ部２３ｃ、２３ｄに支持されて第２ディスクガイド２６にガイドされたまま移動し、第３ディスクガイド２８の小径ディスク用位置決め段差２８ａには当たらず、その下をすり抜けて大径ディスク芯出し用の軸２８ｄ、２８ｅに当たり、芯出し位置が決まる。同時に、図１（ａ）に示すように、切換レバー２９の突起部２９ｂを押し、切換レバー２９が回転支点２９ｃを中心に時計回り方向に回転し、軸２９ｄによりロードクランプ切換メカ部３８を動作させる。以後の動作は小径ディスク３０の場合と同じである。
【００１４】
このように、本実施の形態によれば、挿入されたディスクを案内するとともに、挿入されたディスクの径の相違により揺動する第１ディスクガイド２３および第２ディスクガイド２６と、揺動による角度変化に応じた２つの芯出し位置を有する第３ディスクガイド２８とによりディスクの芯出し位置を決めるので、小径のディスク３０と大径のディスク３２の位置決めを、簡単な構造で精度良く行うことができる。特に、ディスクの直接の位置決めを行う第３ディスクガイド２８が移動しないので、高い位置決め精度を得ることができる。
【００１５】
【発明の効果】
本発明は、上記実施の形態から明らかなように、小径のディスクと大径のディスクの位置決めを第１および第２ディスクガイドの角度変化を利用して行うので、機構が簡単で可動部が少ない精度の高いディスク位置決め装置を実現することができる。
【図面の簡単な説明】
【図１】（ａ）  本発明の実施の形態におけるディスク位置決め装置の概略正面図
（ｂ）  同装置を前方から見た概略側面図
【図２】（ａ）  同装置の小径ディスク芯出し状態を左側方から見た概略側面図
（ｂ）  同装置の大径ディスク芯出し状態を左側方から見た概略側面図
（ｃ）  同装置を右側方から見た概略側面図
【図３】（ａ）  同装置の大径ディスクの芯出し位置における概略図
（ｂ）  同装置の小径ディスクの芯出し位置における概略図
【図４】（ａ）  従来例におけるディスク位置決め装置の概略正面図
（ｂ）  同装置を前方から見た概略側面図
【符号の説明】
２１  回転ローラ
２２  クランプシャーシ
２３  第１ディスクガイド
２４  回転ローラ軸
２５  サスペンションシャーシ
２６  第２ディスクガイド
２７  ディスクガイドばね
２８  第３ディスクガイド
２９  切換レバー
３０  小径ディスク
３１  ディスクガイドばね
３２  大径ディスク
３３  メインシャーシ
３４  スピンドルモータ
３５  ターンテーブル
３６  クランパー
３７  クランパー押さえばね
３８  ロードクランプ切換メカ部
３９  ローラ駆動部
【図１】
0003810489.tif 000002
【図２】
0003810489.tif 000003
【図３】
0003810489.tif 000004
【図４】
0003810489.tif 000005